(57)【要約】【課題】部品点数が少なく、組立性の良い端子台を提供することを目的とする。【解決手段】端子台のハウジング内に、一方にケーブル挿入口を他方にターミナル端子挿入口を有するターミナル端子収納部を備え、ターミナル端子収納部内には、ケーブル挿入口から挿入したケーブルの導体部を挟持するようにターミナル端子とバネ部材とを配設するとともに、凹部状あるいは段差状のターミナル端子抜け規制部を備え、ターミナル端子は、導電ベース部と係止ベース部とを有し、導電ベース部と係止ベース部との間に切り込み部を設けて係止ベース部に片部を形成し、この切り込み部の長さを、ターミナル端子をハウジング内に挿入組付けする際に係止ベース部の片部が変形してハウジング側のターミナル端子抜け規制部に係合する変形量がその弾性限界内にあるように設定した。【選択図】  図１
2006079900.tif 000002
【特許請求の範囲】
【請求項１】
端子台のハウジング内に、一方にケーブル挿入口を他方にターミナル端子挿入口を有するターミナル端子収納部を備え、ターミナル端子収納部内には、ケーブル挿入口から挿入したケーブルの導体部を挟持するようにターミナル端子とバネ部材とを配設するとともに、凹部状あるいは段差状のターミナル端子抜け規制部を備え、ターミナル端子は、導電ベース部と係止ベース部とを有し、導電ベース部と係止ベース部との間に切り込み部を設けて係止ベース部に片部を形成し、この切り込み部の切り込み長さを、ターミナル端子をハウジング内に挿入組付けする際に係止ベース部の片部が変形してハウジング側のターミナル端子抜け規制部に係合する変形量がその弾性限界内にあるように設定したことを特徴とする端子台。
【請求項２】
ターミナル端子が真鍮製であることを特徴とする請求項１記載の端子台。
【発明の詳細な説明】
【技術分野】
【０００１】
本発明は、ケーブル接続用端子台に関する。
【背景技術】
【０００２】
空調機や給湯器等には室内機と室外機をケーブル接続するための端子台が使用されている。
バネの押圧力でケーブルの接続を行う端子台に組み込むターミナル端子は、導電性が高く、プレス加工しやすい真鍮製を使用している。
従って、ターミナル端子を真鍮製とすると加工しやすい反面、弾性が低く、ターミナル端子にそり返し部を形成してハウジング内に挿入し、スナップ係止できないとされていた。
そこで、例えば図５（イ）に示すように端子台１１０ａにおいては、図５（ロ）に示すターミナル端子１２０ａは、別パーツのバネ材である専用の係止バネ材１２３に爪１２３ａを形成し、真鍮製のベース部１２２に装着し、ターミナル端子をハウジング内に挿入し、係止バネ材１２３を凹部状の規制部１３３内に係止させることで、ターミナル端子１２０ａをハウジング１３０内に取り付けている。
しかし、この構造では部品点数が増える上に、ベース部１２２に係止バネ材１２３を取り付ける組立工数が必要となり生産性が悪かった。
そこで、図６に示すようにターミナル端子１２０ｂに舌状の係止部１２４を設け、ターミナル端子１２０ｂをハウジング１３０内に収納した後に、治工具を用い、係止部１２４をハウジング１３０に凹部を設けて形成した規制部１３３へ矢印方向に押し曲げることで係止し、抜け止めとする方法もあるが、係止部を治工具で曲げる工程が必要であり生産性が悪かった。
特開２００３−３１７８２５号公報には、ねじなし端子台を開示しているが、この場合にもターミナル端子の組み付けに別部材のバネ材を使用している。
【０００３】
【特許文献１】特開２００３−３１７８２５号公報
【発明の開示】
【発明が解決しようとする課題】
【０００４】
本発明は上記技術的課題に鑑みて、ターミナル端子にバネ性を備えた係止部分を一体で形成することで、部品点数が少なく、組立性の良い端子台を提供することを目的とする。
【課題を解決するための手段】
【０００５】
本発明の技術的要旨は、端子台のハウジング内に、一方にケーブル挿入口を他方にターミナル端子挿入口を有するターミナル端子収納部を備え、ターミナル端子収納部内には、ケーブル挿入口から挿入したケーブルの導体部を挟持するようにターミナル端子とバネ部材とを配設するとともに、凹部状あるいは段差状のターミナル端子抜け規制部を備え、ターミナル端子は、導電ベース部と係止ベース部とを有し、導電ベース部と係止ベース部との間に切り込み部を設けて係止ベース部に片部を形成し、この切り込み部の切り込み長さを、ターミナル端子をハウジング内に挿入組付けする際に係止ベース部の片部が変形してハウジング側のターミナル端子抜け規制部に係合する変形量がその弾性限界内にあるように設定した点にある。
【０００６】
ここで、一方にケーブル挿入口を他方にターミナル端子挿入口を有するケーブル端子収納部とは、ターミナル端子挿入口からターミナル端子を挿し込み装着可能に、そして、ケーブル挿入口からケーブルの芯線や端子などの導体部分を挿入接続できることを意味する。  ハウジング内にターミナル端子とバネ部材を配設するのは、ケーブル挿入口から挿入したケーブルの導体部をターミナル端子とバネ部材との間に挿し入れて挟み込み、挟持接続する趣旨で、ターミナル端子の少なくとも一部とバネ部材とが対向配置していれば良い。
ターミナル端子収納部内には、凹部状あるいは段差状のターミナル端子抜け規制部を備えとは、ターミナル端子の挿入（抜け）方向に対して、例えば略直角の規制面を備える趣旨で、ターミナル端子挿入部の壁面を、一部凹ませたり、一部に突部を形成してターミナルの係止ベース部の片部が係合して抜け止めとなる凹部又は段差をいう。
ターミナル端子の導電ベース部と係止ベース部の間に切り込み部を設けて係止ベース部に片部を形成し、ハウジングへの組付時の変形量をその弾性限界内に抑えるには切り込み長さ（Ｌ）を充分に長く設定し、ターミナル端子のターミナル挿入部への取り付け時に、係止ベース部の片部が曲げ変形する角度を小さくする趣旨である。
つまり、係止ベース部は曲げ支点となる切り込み部根元付近での変形が最も大きいが、この変形を係止ベース部の片部の長さを長くして抑える趣旨である。
これにより、ターミナル端子を押し込んで取り付ける際に、係止部がターミナル端子挿入部の壁面に乗り上げて変形しても、この変形を弾性限界内に抑えることが出来、更に押し込んで係止部が抜け規制部の規制面を越えた後に、係止部を規制面に向けて弾性復帰させることが出来る。
つまり、ターミナル端子をターミナル端子挿入部内にスナップ係止させることが出来る。
従って、ターミナル端子を例えば弾性が低い真鍮製とした場合でも、バネ性を付加して簡単にハウジング内に取り付けることが出来る。
【発明の効果】
【０００７】
本発明に係る端子台は、ターミナル端子の導電ベース部と係止ベース部との間には、ターミナル端子挿入口側から所定の切り込み長さ（Ｌ）の切り込み部を設け、係止ベース部の片部の長さを十分長くして係止ベース部に形成した片部のターミナル端子挿入口側に係止部を備えることで、ターミナル端子をハウジングに装着する際の係止ベース部片部の変形を、その弾性限界内に抑えることができる。
これにより、例えば真鍮のように弾性の低い材料で形成しても係止ベース部のバネ作用を利用出来る。
よって、ターミナル端子のハウジング内への装着は、スナップ係止による簡単なものとなり、ターミナル端子をハウジング内に係止するための別パーツが不要となり部品点数を削減出来る。
また、治工具を使ってターミナル端子の一部を折り曲げて係止する工程も不要となり、非常に効率良く組み立てることが出来る。
【発明を実施するための最良の形態】
【０００８】
本発明に係る端子台について図を用いて説明する。
図３は本発明に係る端子台の外観図で（イ）は左側面図、（ロ）は正面図、（ハ）は底面図を示す。
この端子台１０は例えばエアコンや給湯器等に使用され、室内機と室外機をケーブルで接続するために使用される。
端子台１０は、ケーブル挿入口３４よりケーブル芯線を挿入し、ターミナル端子２０、２０ａ、２０ｂと導通接続させる構造となっている。
ケーブルの挿入接続方法及び解除する方法については後述する。
【０００９】
図１（イ）は端子台のケーブル挿入方向の縦断面図を示し、図１（ロ）は端子台に装着するターミナル端子の斜視図を示す。
図１（イ）に示すように端子台１０は、ハウジング３０内に形成した穴状のターミナル端子収納部３１にターミナル端子２０を挿し込み装着している。
端子台１０はケーブル挿入口３４から挿入したケーブルの芯線をバネ部材１１が導電ベース部挟持部２１ａ側に押圧挟持して、ケーブルの芯線とターミナル端子２０とを導通接続する構造としている。
このケーブルの接続は、解除釦１２を押圧してバネ部材１１を押し下げることで解除できる。
この解除釦１２はわかりやすくするため、切断面を手前にずらして描いてある。
ターミナル端子２０はターミナル端子収納部の係止ベース部側壁面３２ａに凹部を設けて形成した抜け規制部の規制面３３ａに係止されており、ターミナル端子２０がターミナル端子収納部３１から抜けようとしても係止部２２ｂが規制面３３ａに移動規制され、抜け止めとなっている。
ターミナル端子２０は、図１（ロ）に示すように一枚の金属板を折り曲げることで導電ベース部２１と係止ベース部２３を形成している。
この導電ベース部２１と係止ベース部２２とは、略直角に折り曲げてあり、係止ベース部２２と導電ベース部２１のケーブル挿入口側を折れ部２３を介して連結し、ターミナル端子挿入口側は所定の切り込み長さＬの切り込み部２４を設けている。
なお、切り込み部２４を切り込む際に導電ベース部２１の一部を係止ベース部側に折り返し、バネ部材１１のストッパー２５を形成している。
ここで、所定の切り込み長さＬの切り込み部とは、ターミナルをハウジング内のターミナル端子収納部３１に押し込む際に、後述する係止部２２ｂの変形が弾性内にあるようにした切り込み長さの切り込み部をいう。
係止ベース部２２は、片状部分である係止ベース部片部２２ａの、ターミナル端子挿入口側を折り曲げることで、図１（イ）における壁面３２ａへ向けてそり返した係止部２２ｂを形成している。
導電ベース部２１は更に略直角に折り曲げて、係止ベース部２２と対向した導電ベース部挟持部２２ａを設け、ターミナル端子２０は導電ベース部挟持部２２ａ部分は断面略コ字状としている。
【００１０】
ターミナル端子のハウジング内への装着について説明する。
図２はターミナル端子２０をハウジング３０内に挿し込む状態の説明図を示す。
図２（イ）に示すようにターミナル端子２０は、折れ部２３側を先頭にした矢印で示すターミナル端子の挿入方向に向けて挿し込み、ターミナル端子収納部３１へと嵌め込む。
ターミナル端子２０には予めバネ部材１１をバネ部材ストッパー２５に係るように載置しておく。
すると、図２（ロ）に示すように係止部２２ｂがターミナル端子収納部３１の係止部側の壁面３２ａと干渉する。
そのまま更にターミナル端子２０を押し込むと図２（ハ）に示すように係止ベース部片部２２ａが図２（ハ）では上に向けて変形し、係止部２２ｂが壁面３２ａ上に乗り上げる。
この係止ベース部片部２２ａの変形は、その変形量が弾性限界内となるように切り込み部の切り込み長さＬを十分長く設定してある。
このため、更にターミナル端子２０を押し込み係止部２２ｂが抜け規制部３３の凹部３３ｂまで達すると係止部２２ｂは弾性復帰して凹部３３ｂに入り込み、係止部２２ｂ先端が規制面３３ａに係止されてターミナル端子２０のハウジング３０からの抜け止めとなる。
このように、切り込み部の切り込み長さＬを長くして係止ベース部片部の変形を弾性限界内とすることで、ターミナル端子を、例えば弾性の低い真鍮製とした場合でも、バネ作用を利用してターミナル端子を取り付けることができる。
これにより、ターミナル端子をハウジング内に係止するための例えばバネ材などの別パーツが不要となり部品点数を削減出来る。
また、ターミナル端子をハウジング内に係止するための係止部の曲げ工程も不要となり、ターミナル端子はスナップ係止にて効率良くハウジングに装着出来る。
【００１１】
端子台１０にケーブルを挿入接続する方法及び解除する方法を図４に示す。
図はわかりやすくするためケーブル１は外観を描いている。
図４（イ）に示すようにハウジング３０のケーブル挿入口３４に向けてケーブル１の芯線１ａを挿入すると、導電ベース部２１の挟持部２１ａとバネ部材１１とをケーブル芯線１ａをその間に導き挟持するように配置しているため、図４（ロ）に示すようにケーブル芯線１ａが導電ベース部挟持部２１ａに押し付けられるようにバネ部材１１の押し付け片１１ａ、１１ｂが作用する。
従って、ケーブルの芯線を端子台に挿入する際には、ターミナル端子にはハウジングから抜ける方向に力が負荷することになり、ターミナルの係止部２２ｂが確実にハウジングの規制面３３ａに係止していることが要求される。
押し付け片１１ａの先端エッジ部１１ｃがケーブル芯線１ａの側部に当たり、ケーブルに抜き方向の力が加えられると、先端エッジ部１１ｃがくい込むように作用し、ケーブル１が抜けるのを防止している。
ケーブル接続を解除したい場合には、図４（ハ）に示すように、端子台１０の表側から頭部を押圧可能に配設された解除釦１２の頭部１２ａを押すことで解除釦１２の先端部１２ｂにてバネ部材１１の押し付け片１１ａを押し下げ、先端エッジ部１１ｃをケーブル芯線１ａの側面から離す。
この状態にてケーブルを引き抜くことが出来る。
【図面の簡単な説明】
【００１２】
【図１】（イ）本発明に係る端子台の実施例の縦断面図を示す。（ロ）ターミナル端子の斜視図を示す。
【図２】ターミナル端子のハウジングへの装着の説明図を示す。
【図３】本発明に係る端子台の実施例の外観図を示す。
【図４】ケーブルの挿入接続と接続解除についての説明図を示す。
【図５】従来のターミナル係止構造例を示す。
【図６】従来のターミナル組み込み例を示す。
【符号の説明】
【００１３】
１      ケーブル
１ａ    ケーブル芯線
１０    端子台
１１    バネ部材
１１ａ、１１ｂ  バネ部材押し付け片
１１ｃ  バネ部材押し付け片先端エッジ部
１２    解除釦
１２ａ  解除釦頭部
１２ｂ  解除釦先端部
２０、２０ａ、２０ｂ  ターミナル端子
２１    導電ベース部
２１ａ  導電ベース部挟持部
２２    係止ベース部
２２ａ  係止ベース部片部
２２ｂ  係止部
２３    折れ部
２４    切り込み部
２５    バネ部材ストッパー
３０    ハウジング
３１    ターミナル端子収納部
３２    ターミナル端子収納部の壁面
３２ａ  ターミナル端子収納部の係止部側壁面
３３    ターミナル端子抜け規制部
３３ａ  ターミナル端子抜け規制部の規制面
３３ｂ  ターミナル端子抜け規制部凹部
３４    ケーブル挿入口
３５    ターミナル端子挿入口
【図１】
2006079900.tif 000003
【図２】
2006079900.tif 000004
【図３】
2006079900.tif 000005
【図４】
2006079900.tif 000006
【図５】
2006079900.tif 000007
【図６】
2006079900.tif 000008